(57)【特許請求の範囲】
【請求項１】
フィードチェン（５）に穀稈を搬送する搬送チェン（３５）を設け、搬送チェン（３５）の送り作用側に搬送ガイド（３９）を配設させると共に、本体側フレーム（４７）に固定させる受台（４０）と、上壁部（４２ａ）と側壁部（４２ｂ）を有するガイド台（４２）とを設け、ガイド台（４２）の側壁部（４２ｂ）に貫通させるロッド（４３）に前記搬送ガイド（３９）を設けるコンバインの穀稈搬送装置において、
前記受台（４０）に底壁部（４０ａ）及び側壁部（４０ｂ）を設け、同側壁部（４０ｂ）に支点軸（４９）を抜き差し自在に取り付ける一方、
ガイド台（４２）の上壁部（４２ａ）にブラケット（４１）を介して後退規制部（５０ｂ）を設けるとともに、同後退規制部（５０ｂ）はガイド台（４２）の上壁部（４２ａ）下方で受台（４０）の底壁部（４０ａ）上方にて前記支点軸（４９）に係合させて、搬送チェン（３５）に搬送ガイド（３９）が近づく前進方向と、同搬送チェン（３５）から搬送ガイド（３９）が離れる後退方向とに上記支点軸（４９）を介して移動可能となし、同後退規制部（５０ｂ）にはロック軸（５２）を当接・解除自在に係合させて、後退規制部（５０ｂ）の後退方向への移動をロック・解除自在となし、
さらに、前記支点軸（４９）を抜き差しすることにより、後退規制部（５０ｂ）との係合を解除して、同後退規制部（５０ｂ）を支持する前記ガイド台（４２）と受台（４０）とを係脱自在に連結させることを特徴とするコンバインの穀稈搬送装置。
【発明の詳細な説明】
【０００１】
【発明の属する技術分野】
本発明は例えば刈取部で刈取った穀稈を脱穀部まで搬送するようにしたコンバインの穀稈搬送装置に関する。
【０００２】
【発明が解決しようとする課題】
この種搬送チェンとバネ圧が付勢される搬送ガイド間に穀稈を挾持して搬送を行う手段にあって、穀稈の詰まり事故が発生した場合には、搬送ガイドの取付ブラケットと取付フレームとは固定取付構造のため搬送ガイドには最大圧縮したバネ力が加わる状態となって、穀稈を除去するにも非常に困難なものであった。
【０００３】
【課題を解決するための手段】
そこで、本発明は、フィードチェンに穀稈を搬送する搬送チェンを設け、搬送チェンの送り作用側に搬送ガイドを配設させると共に、本体側フレームに固定させる受台と、上壁部と側壁部を有するガイド台とを設け、ガイド台の側壁部に貫通させるロッドに前記搬送ガイドを設けるコンバインの穀稈搬送装置において、前記受台に底壁部及び側壁部を設け、同側壁部に支点軸を抜き差し自在に取り付ける一方、ガイド台の上壁部にブラケットを介して後退規制部を設けるとともに、同後退規制部はガイド台の上壁部下方で受台の底壁部上方にて前記支点軸に係合させて、搬送チェンに搬送ガイドが近づく前進方向と、同搬送チェンから搬送ガイドが離れる後退方向とに上記支点軸を介して移動可能となし、同後退規制部にはロック軸を当接・解除自在に係合させて、後退規制部の後退方向への移動をロック・解除自在となし、さらに、前記支点軸を抜き差しすることにより、後退規制部との係合を解除して、同後退規制部を支持する前記ガイド台と受台とを係脱自在に連結させることを特徴とするコンバインの穀稈搬送装置を提供するものである。
【０００５】
【発明の実施の形態】
以下、本発明の実施例を図面に基づいて詳述する。図１は搬送ガイド部の平面説明図、図２はコンバインの全体側面図、図３は同平面図であり、図中（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀機である脱穀部、（８）は刈刃（９）及び穀稈搬送機構（１０）などを備える刈取部、（１１）は刈取フレーム（１２）を介して刈取部（８）を昇降させる油圧シリンダ、（１３）は排藁チェン（１４）終端を臨ませる排藁処理部、（１５）は脱穀部（４）からの穀粒を揚穀筒（１６）を介して搬入する穀物タンク、（１７）は前記タンク（１５）の穀粒を機外に搬出する排出オーガ、（１８）は運転操作部（１９）及び運転席（２０）を備える運転キャビン、（２１）は運転キャビン（１８）下方に設けるエンジンであり、連続的に穀稈を刈取って脱穀するように構成している。
【０００６】
図４乃至図５に示す如く、前記刈取部（８）は分草板（２２）を介し取入れられる未刈り穀稈を起立させる引起しタイン（２３）を有する６条用引起しケース（２４）と、この引起された穀稈の稈元側及び穂先側を掻込むスターホイル（２５）及び掻込ベルト（２６）と、この掻込時稈元側を切断する刈刃（９）と、切断後の右側２条分の穀稈の稈元側を左斜め後方に搬送する右下部搬送チェン（２７）と、右側２条分の穀稈の穂先側を左斜め後方に向け搬送する右上部搬送タイン（２８ａ）を有する右上部搬送体（２８）と、中央２条分の穀稈の稈元側及び穂先側を後方の右下部搬送チェン（２７）及び右上部搬送体（２８）の送り中間位置近傍に合流させる中央下部搬送チェン（２９）及び中央上部搬送タイン（３０ａ）を有する中央上部搬送体（３０）と、左側２条分の穀稈の稈元側及び穂先側を右下部搬送チェン（２７）及び右上部搬送体（２８）の送り終端位置近傍に合流させる左下部搬送チェン（３１）及び左上部搬送タイン（３２ａ）を有する左上部搬送体（３２）と、前記右下部搬送チェン（２７）の送り終端に合流する６条分の穀稈の稈元側を前記フィードチェン（５）の送り始端に受継ぎ搬送する縦搬送チェン（３３）と、前記右上部搬送体（２８）の送り終端に合流する６条分の穀稈の穂先側を脱穀入口方向に搬送する後上部搬送タイン（３４ａ）を有する後上部搬送体（３４）と、前記後上部搬送体（３４）と縦搬送チェン（３３）との送り終端部間の上下略中央位置に設けてフィードチェン（５）に適正姿勢で穀稈を受継ぎさせる補助搬送チェン（３５）と、前記各上部搬送体（２８）（３０）（３２）の上方で対向位置に設けて穀稈の穂首より若干下部を搬送する右・中央・左穂先搬送タイン（３６ａ）（３７ａ）（３８ａ）をそれぞれ有する右・中央・左穂先搬送体（３６）（３７）（３８）とを備え、刈取られた６条分の穀稈の稈元側及び穂先側を各チェン（２７）（２９）（３１）及び各搬送体（２８）（３０）（３２）を介し縦搬送チェン（３３）に受継ぎ合流させて脱穀部（４）に供給し脱穀処理するように構成している。
【０００７】
図６乃至図１０にも示す如く、前記補助搬送チェン（３５）の送り作用側に配設する挾扼搬送ガイド（３９）を、本体側に固定するガイド受台（４０）にブラケット（４１）・ロッドガイド台（４２）・挾扼ガイド（４３）を介しチェン（３５）との間隔を変更自在に支持させるもので、前記ブラケット（４１）とガイド台（４２）はそれぞれ断面冂形状に形成し、ガイド台（４２）の両側壁部（４２ｂ）の左右両端間をロッド（３９）が貫通してガイド台（４２）にロッド（３９）が支持されるのに対し、前記ブラケット（４１）とガイド台（４２）とは交叉させ、ブラケット（４１）の上側壁部（４１ｂ）にガイド台（４２）の上側壁部（４２ａ）の左右略中央を長孔（４４）及びボルト（４５）を介しロッド（３９）の長手方向に調節自在に固定させ、前記ガイド台（４２）とロッド（４３）間には挾扼バネ（４６）を介在させて、搬送ガイド（３９）に常時はチェン（３５）方向の張り力を付勢するように構成している。
【０００８】
また、前記ガイド受台（４０）は逆冂形に形成し、立上り両側壁部（４０ｂ）の一方を補助ガイドフレーム（４７）を介し本体側に連結支持させ、両側壁部（４０ｂ）の内側面にブラケット（４１）の両側壁部（４１ｂ）下端側を接合させ、該両側壁部（４１ｂ）に形成するスライド用長孔（４８）を、受台両側壁部（４０ｂ）間を挿通させる支点軸（４９）に係合させ、受台（４０）に長孔（４８）の範囲内でブラケット（４１）を移動自在に連結させている。
【０００９】
さらに、前記ブラケット両側壁部（４１ｂ）内側面の長孔（４８）周囲に規制板（５０）を固定させ、受台（４０）の両側壁部（４０ｂ）間に横設する上向き防止板（５１）と規制板（５０）一端側の上向き規制部（５０ａ）との係合によって前記支点軸（４９）を中心としたブラケット（４１）の反時計方向の回動を阻止させると共に、受台両側壁部（４０ｂ）上端縁とガイド台（４２）一側の側壁部（４２ｂ）下端縁との当接（図９中Ａ部）によって前記支点軸（４９）を中心としたブラケット（４１）の時計方向の回動を阻止するように構成している。
【００１０】
またさらに、前記ガイド受台（４０）にはロック軸（５２）を有するロックレバー（５３）を設けて、前記搬送ガイド（３９）の挾扼解除をレバー（５３）によって行うようにしたもので、前記受台（４０）の防止板（５１）とは反対側の底壁部（４０ａ）略中央の軸受部（５４）に軸（５５）を介してロックレバー（５３）基端の軸ボス（５６）を上下回動自在に支持させ、前記ロック軸（５２）を軸ボス（５６）に固設させ、前記ロックレバー（５３）を起立保持させてのロック操作時、前記規制板（５０）の後退規制部（５０ｂ）を挾んだ支点軸（４９）の対向位置にロック軸（５２）を位置保持させる状態とさせて、ブラケット（４１）のチェン（３５）より反対方向へのスライドを規制する一方、前記ロックレバー（５３）を横水平状に傾倒させてのロック解除操作時、軸（５５）を中心としてロック軸（５２）を軸（５５）の上方位置に移動させて、この軸（５５）による規制部（５０ｂ）に対する規制を解除させてブラケット（４１）を長孔（４４）の範囲内で最大チェン（３５）から離れる方向に移動させるように構成している。つまり図９乃至図１０に示す如く、前記規制板（５０）の後退規制部（５０ｂ）は、上向き規制部（５０ａ）の反対側位置にあって、長孔（４８）を囲む状態で且つ軸（５５）及び軸ボス（５６）に干渉させることなく間隔を空けて両側壁部（４１ｂ）近傍のみに設けると共に、前記ロック軸（５２）は規制部（５０ｂ）の後退面に干渉させるように規制板（５０）の横巾と略同一に設けて、前記レバー（５３）のロック操作時には規制部（５０ｂ）の後退面をロック軸（５２）に当接させてその後退を規制する一方、レバー（５３）のロック解除操作時には規制部（５０ｂ）の後退面とロック軸（５２）の当接解除によってその後退を許容するように構成したものである。なおロック操作時にあってはロック軸（５２）の下側には規制板（５０）の下側規制部（５０ｃ）の延長端が位置する状態となって、ロックレバー（５３）のロック解除方向とは反対側方向の回動が規制されるものである。
【００１１】
また、前記ロックレバー（５３）のロック操作時、該レバー（５５）を起立位置で保持するレバーストッパ（５７）を、ガイド台（４２）の上方位置に設けるもので、本体側にフレーム（５８）及び取付板（５９）などを介し固設するストッパ座（６０）に、軸（６１）を介してＵ形状のストッパ（５７）基端を回動自在に支持させ、ストッパ（５７）の開脚部間で、ストッパ（５７）を横水平姿勢位置まで回動させて、開脚先端部をストッパ座（６０）のストッパピン（６２）に係止させるとき、レバー（５３）をこのロック位置で保持するように構成している。
【００１２】
前記支点軸（４９）は、受台側壁部（４０ｂ）より突出させる外側端に枢着板（６３）を固設していて、受台（４０）に固設するボルトボス（６４）にボルト（６５）を介し枢着板（６３）を固定することによって、支点軸（４９）の取付けを行うように設けて、ボルト（６５）による枢着板（６３）の着脱操作によって支点軸（４９）の取付け及び取外し可能とさせるように構成している。
【００１３】
而して刈取作業中に、補助搬送チェン（３５）と搬送ガイド（３９）間に穀稈の詰まり事故などが発生し、搬送ガイド（３９）が稈の詰まり圧によってこの反対方向にスライドし、挾扼バネ（４６）のバネ圧も大となるときには、前記レバー（５３）に対するストッパ（５７）のロック解除を行って、レバー（５３）を起立位置より傾倒させ、前記ブラケット（４１）に対するロック軸（５２）の規制を解除させて、長孔（４８）のストローク分ブラケット（４１）と一体に搬送ガイド（３９）を搬送チェン（３５）より後退させる状態とさせて、穀稈に対するバネ（４６）の押圧力（詰まった穀稈が少ない時には稈とガイド（３９）との間には隙間ができる）を弱めて稈を容易に取除き可能とさせるものである。このようにロックレバー（５３）のみの操作によって搬送ガイド（３９）のワンタッチ解除を可能とさせて、詰まり稈の取除き作業などの能率向上化が図れるものである。
【００１４】
また、搬送ガイド（３９）の取外し時においても、搬送ガイド（３９）の最後退位置で前記ボルト（６５）による枢着板（６３）の取外し操作で支点軸（４９）をブラケット（４１）より引抜くことによって、ブラケット（４１）と一体の搬送ガイド（３９）の取外しが容易に行えるものである。
【００１５】
図１１乃至図１３のものは、レバーのみによるワンタッチ操作で搬送ガイド（３９）と一体にガイド台（４２）を補助ガイドフレーム（４７）のガイド受台（４０）より取外して詰まり稈の取除きを容易とさせるように構成例を示すもので、補助ガイドフレーム（４７）のレバー取付板（６６）にレバー軸（６７）を介して鋏状のロック解除レバー（６８）を設け、解除レバー（６８）の握り操作部（６８ａ）の反対側端に、ガイド台（４２）及び受台（４０）の差込み孔に係合挿入させる差込みピン（６９）を回動且つ移動自在に設けて、レバー操作によって該ピン（６９）でガイド台（４２）と受台（４０）とを一体連結させるときロック状態とさせる一方、ピン（６９）を引抜くとき搬送ガイド（３９）と一体にガイド台（４２）を受台（４０）より分離させて詰まり稈の取除きを行うように構成したものである。
【００１６】
【発明の効果】
本発明では、受台に底壁部及び側壁部を設け、同側壁部に支点軸を抜き差し自在に取り付ける一方、ガイド台の上壁部にブラケットを介して後退規制部を設けるとともに、同後退規制部は、ガイド台の上壁部下方で受台の底壁部上方にて前記支点軸に係合させて、搬送チェンに搬送ガイドが近づく前進方向と、同搬送チェンから搬送ガイドが離れる後退方向とに上記支点軸を介して移動可能となし、同後退規制部にはロック軸を当接・解除自在に係合させて、後退規制部の後退方向への移動をロック・解除自在となし、さらに、前記支点軸を抜き差しすることにより、後退規制部との係合を解除して、同後退規制部を支持する前記ガイド台と受台とを係脱自在に連結させるようにしている。
このようにして、ロック軸を後退規制部から当接解除して、同後退規制部の後退方向への移動をロック解除することにより、同後退規制部を支持するガイド台に取り付けた搬送ガイドを搬送チェンから離れる後退方向に移動させることができる。
さらには、支点軸を引き抜くことにより、後退規制部との係合を解除して、同後退規制部を支持するガイド台を受台から離脱させて、同ガイド台に取り付けた搬送ガイドを搬送チェンから離隔させることができる。
従って、搬送ガイドと搬送チェンとの間の詰まり稈の取り除き作業などを容易にかつ確実に行うことができる。
【図面の簡単な説明】
【図１】搬送ガイド部の説明図である。
【図２】コンバインの全体側面図である。
【図３】コンバインの全体平面図である。
【図４】刈取部の側面説明図である。
【図５】刈取部の平面説明図である。
【図６】補助搬送チェン部の平面説明図である。
【図７】搬送ガイド部の平面説明図である。
【図８】ロックレバー部の説明図である。
【図９】ブラケット部の側面説明図である。
【図１０】ブラケット部の平面説明図である。
【図１１】搬送ガイドの取外し構成例における平面説明図である。
【図１２】搬送ガイドの取外し構成例におけるロック状態を示す説明図である。
【図１３】搬送ガイドの取外し構成例におけるロック解除を示す説明図である。
【符号の説明】
（５）    フィードチェン
（８）    刈取部
（３３）  縦搬送チェン
（３５）  補助搬送チェン
（３９）  搬送ガイド
（４０）  ガイド受台
（４１）  ブラケット
（４６）  バネ
【図１】
0003665127.tif 000002
【図２】
0003665127.tif 000003
【図３】
0003665127.tif 000004
【図４】
0003665127.tif 000005
【図５】
0003665127.tif 000006
【図６】
0003665127.tif 000007
【図７】
0003665127.tif 000008
【図８】
0003665127.tif 000009
【図９】
0003665127.tif 000010
【図１０】
0003665127.tif 000011
【図１１】
0003665127.tif 000012
【図１２】
0003665127.tif 000013
【図１３】
0003665127.tif 000014